(57)【要約】【課題】  本発明は、外観の体裁が良好で、且つ前桁や側桁が外れないデッキを提供することにある。【解決手段】  デッキ材１と前桁２と大引３と桁材側金具４と大引側金具５とを備え、大引側金具５は、大引３に固定してあるとともに、桁材側金具４を載せる載置部１６を有し、デッキ材１は、大引３の上に固定してあるとともに、大引側金具５の上側に配置してあり、桁材側金具４は、前桁２に固定してあるとともに、大引側金具５に対して前桁２の長手方向にスライド自在に係合しており、桁材側金具４は、大引側金具５の外周方向に抜けなくする抜け止め部７と、大引側金具５の載置部１６に載る被載置部８とが設けてあることを特徴とする。【選択図】      図１（ａ）（ｂ）
2015048625.tif 000002
【特許請求の範囲】
【請求項１】
デッキ材と前桁と大引と桁材側金具と大引側金具とを備え、大引側金具は、大引に固定してあるとともに、桁材側金具を載せる載置部を有し、デッキ材は、大引の上に固定してあるとともに、大引側金具の上側に配置してあり、桁材側金具は、前桁に固定してあるとともに、大引側金具に対して前桁の長手方向にスライド自在に係合しており、桁材側金具は、大引側金具の外周方向に抜けなくする抜け止め部と、大引側金具の載置部に載る被載置部とが設けてあることを特徴とするデッキ。
【請求項２】
デッキ材と前桁と桁材側金具とデッキ材側金具とを備え、デッキ材側金具は、デッキ材に固定してあるとともに、桁材側金具を載せる載置部を有しており、桁材側金具は、前桁に固定してあり、デッキ材側金具に対して前桁の長手方向にスライド自在に係合しており、桁材側金具は、デッキ材側金具の外周方向に抜けなくする抜け止め部と、デッキ材側金具の載置部に載る被載置部を有していることを特徴とするデッキ。
【請求項３】
デッキ材と側桁と大引と桁材側金具と大引側金具を備え、デッキ材と側桁は同一の素材で成形されており、側桁は、デッキ材の側面に固定してあるとともに、桁材側金具に固定してあり、桁材側金具は、大引側金具に対して側桁の長手方向にスライド自在に係合しており、大引側金具の外周方向に抜けなくする抜け止め部を有していることを特徴とするデッキ。
【発明の詳細な説明】
【技術分野】
【０００１】
本発明は、建物の室外スペースに付設されるデッキに関するものである。
【背景技術】
【０００２】
図１０のように、間隔をあけて複数の脚６を設置し、各脚６の上部に大引３を取り付け、さらに、大引３の上にデッキ材（図形省略）を載置して固定するものである。そして、大引３の外周部に大引側金具５０を取り付け、その大引側金具５０に、前桁２や側桁（図示省略）２０を固定具１１で固定することにより形成されるデッキがあった。
【発明の概要】
【発明が解決しようとする課題】
【０００３】
上記のものでは、前桁や側桁が大引の間隔をあけた複数箇所に固定してあることにより、前桁や側桁が熱伸びすると、前桁や側桁を固定している各々の固定箇所において前桁や側桁の長手方向への熱伸びが規制される。これにより、前桁や側桁は、大引の外周側にでこぼことした歪な状態に変形し、デッキの外観の体裁を損なうとともに前桁や側桁が熱伸びにより外れる問題点があった。本発明は、上記課題を鑑みてなされたものであり、外観の体裁が良好で、且つ前桁や側桁が外れないデッキを提供することにある。
【課題を解決するための手段】
【０００４】
本発明のうち請求項１記載の発明は、デッキ材と前桁と大引と桁材側金具と大引側金具とを備え、大引側金具は、大引に固定してあるとともに桁材側金具を載せる載置部を有し、デッキ材は、大引の上に固定してあるとともに大引側金具の上側に配置してあり、桁材側金具は、前桁に固定してあるとともに大引側金具に対して前桁の長手方向にスライド自在に係合しており、桁材側金具は、大引側金具の外周方向に抜けなくする抜け止め部と、大引側金具の載置部に載る被載置部とが設けてあることを特徴とする。
【０００５】
本発明のうち請求項２記載の発明は、デッキ材と前桁と桁材側金具とデッキ材側金具とを備え、デッキ材側金具は、デッキ材に固定してあるとともに桁材側金具を載せる載置部を有しており、桁材側金具は、前桁に固定してあり、デッキ材側金具に対して前桁の長手方向にスライド自在に係合しており、桁材側金具は、デッキ材側金具の外周方向に抜けなくする抜け止め部と、デッキ材側金具の載置部に載る被載置部を有していることを特徴とする。
【０００６】
本発明のうち請求項３記載の発明は、デッキ材と側桁と大引と桁材側金具と大引側金具を備え、デッキ材と側桁は同一の素材で成形されており、側桁は、デッキ材の側面に固定してあるとともに桁材側金具に固定してあり、桁材側金具は、大引側金具に対して側桁の長手方向にスライド自在に係合しており、大引側金具の外周方向に抜けなくする抜け止め部を有していることを特徴とする。
【発明の効果】
【０００７】
本発明のうち請求項１記載の発明によれば、桁材側金具の被載置部が大引側金具の載置部に載置してあるとともに、桁材側金具と大引側金具が前桁の長手方向にスライド自在に係合してあることから、前桁が長手方向に熱伸びしたときに、これに追従して前桁に固定してある桁材側金具が大引側金具と係合したままスライドする。これにより、前桁は熱伸びを妨げられないことから大引の外周側にでこぼこに波打つことがなく、外観意匠性を維持することができる。さらに、前桁が外周側に変形しないことから桁材側金具から外れない構造となる。
【０００８】
本発明のうち請求項２記載の発明によれば、桁材側金具の被載置部がデッキ材側金具の載置部に載置してあるとともに、デッキ材側金具と桁材側金具が前桁の長手方向にスライド自在に係合している。これにより、デッキ材と桁材を固定するタイプのデッキにおいても、前桁の熱伸びに追従して桁材側金具がデッキ材側金具と係合したまま桁材の長手方向にスライドする。したがって、前桁が熱伸びを妨げられないことから、デッキの外周側にでこぼこに波打つことがなくデッキの外観意匠性が維持される。さらに、前桁が外周側に変形しないことから桁材側金具から外れない構造となる。
【０００９】
本発明のうち請求項３記載の発明によれば、同一の素材により成形したデッキ材と側桁を固定し、さらに、桁材側金具と大引側金具を側桁の長手方向にスライド自在に係合してある。これにより、デッキ材と側桁が熱伸びしたときに、桁材側金具と大引側金具が側桁の長手方向にスライド自在に係合してあることで、これに追従して桁材側金具が大引側金具に係合したままスライドする。したがって、側桁が熱伸びを妨げられないことから、側桁が外周側にでこぼこに波打つことなくデッキの外観意匠性が維持される。さらに、側桁が外周側に変形しないことから桁材側金具から外れない構造となる。
【図面の簡単な説明】
【００１０】
【図１（ａ）（ｂ）】（ａ）は、本発明の第一実施形態のデッキの縦断面図であり、（ｂ）は、桁材側金具と大引側金具の取付箇所を拡大した縦断面図である。
【図２（ａ）（ｂ）（ｃ）】上記第一実施形態のデッキの一部を拡大した施工手順を示す縦断面図である。
【図３（ａ）（ｂ）】（ａ）は、本発明の第二実施形態のデッキの縦断面図であり、（ｂ）は、桁材側金具とデッキ材側金具の取付箇所を拡大した縦断面図である。
【図４（ａ）（ｂ）（ｃ）】上記第二実施形態のデッキの施工手順を示す一部を拡大した縦断面図である。
【図５（ａ）（ｂ）】（ａ）は、本発明の第三実施形態のデッキの縦断面図であり、（ｂ）は、桁材側金具と大引側金具の取付箇所を拡大した縦断面図である。
【図６（ａ）（ｂ）（ｃ）】上記第三実施形態のデッキの施工手順を示す一部を拡大した縦断面図である。
【図７（ａ）（ｂ）】本発明の第四実施形態のデッキであり、（ａ）は、桁材側金具と大引き側金具の取付箇所を拡大した縦断面図であり、（ｂ）は、桁材側金具を大引側金具に取り付けるときの施工の状態を拡大した斜視図である。
【図８（ａ）（ｂ）】本発明の第五実施形態のデッキであり、（ａ）は、桁材側金具とデッキ材側金具の取付箇所を拡大した縦断面図であり、（ｂ）は、桁材側金具とデッキ材側金具に取り付けるときの施工の状態を拡大した斜視図である。
【図９（ａ）（ｂ）】（ａ）は、前桁と側桁の突き合わせ箇所を拡大して示す横断面図であり、（ｂ）は、本発明の第一〜第三実施形態のデッキの全体を示す斜視図である。
【図１０】従来のデッキを示す斜視図である。
【発明を実施するための形態】
【００１１】
以下に、図面に基づいて本発明によるデッキの第一実施形態について説明する。
本実施によるデッキは、図１（ａ）と図９（ｂ）のように、間隔をあけて複数立設する脚６と、各脚６の上部に固定する大引３と、大引３の外周側部に固定してある大引側金具５と、前桁２と、桁材側金具４と、デッキ材１とから構成されている。また、前桁２と側桁２０の突き合わせ箇所となるコーナー部は、図９（ａ）（ｂ）のように、カバー材３０が固定具１１で固定して取り付けてあり、前桁２と側桁２０の突き合わせ箇所を隠蔽している。
【００１２】
デッキ材１は、本発明の第一〜第五実施形態に共通するものが使用されており、図５（ａ）と図９（ａ）（ｂ）のように、所定幅を有する略矩形の中空形材からなる長尺材であり、対向する側桁２０間の大引上部２２の上に、側桁２０と平行して間隔をあけて複数配設してある。また、デッキ材１の下端部には、デッキ材１の両側下部からデッキ材１の配列方向に向けて突出した鍔部１ｂが設けてあるとともに、鍔部１ｂの上面から大引上部２２に押圧する押さえ部材１０が設けてあり、デッキ材１を大引上部２２の上に固定している。
【００１３】
前桁２は、図１（ａ）のように、本実施によるデッキのデッキ外周側を囲む桁材（前桁２，側桁２０）のうちのデッキ外周側の正面側に取り付けられるものである。また、前桁２は、縦断面して縦長略矩形状をなしている。また、前桁２の上部には、デッキ内周側に向けて突出したケーシング部２ａが設けてあり、このケーシング部２ａで前桁２とデッキ材１との隙間を隠蔽する。さらに、前桁２の内周側には、凹部２ｂが設けてあり、この凹部２ｂに桁材側金具４を沿わせることで、桁材側金具４が凹部２ｂに嵌り込んで位置決めされる。これにより、前桁２と桁材側金具４を固定具１１で固定するときに固定しやすくなる。
【００１４】
桁材側金具４は、図１（ｂ）のように、前桁２の内周面に沿って配置する縦長形状のものである。また、桁材側金具４の上下方向の中間部には、上下方向に間隔をあけて上側係合片１２と下側係合片１３を有している。上側係合片１２と下側係合片１３は、桁材側金具４からデッキ内周側に向けて突出し、また、それぞれが弾性を有している。さらに、上側係合片１２と下側係合片１３の突出先端部には、抜け止め部７が設けてある。また、上側係合片１２の上部には被載置部８が設けてあり、この被載置部８は、デッキ内周側に向けて突出するとともに下向きの鉤状をなしている。
【００１５】
大引側金具５は、上片５ａと下片５ｂと縦片５ｃとからなり、デッキ外周側が開放した略コ字型をなしている。また、上片５ａと下片５ｂのデッキ内周側には、上記した桁材側金具４の上側係合片１２と下側係合片１３がそれぞれ係合する上側被係合部１４と下側被係合部１５が設けてある。さらに、上側被係合部１４と下側被係合部１５は、上側係合片１２と下側係合片１３が係合したときに、各々の突出先端部に設けてある抜け止め部８が上側被係合部１４と下側被係合部１５のデッキ内周側部に引っ掛かることで、桁材側金具４が大引側金具５のデッキ外周側に抜けないようになっている。また、上側被係合部１４の上部には、上記した桁材側金具４に設けてある被載置部８を載せる載置部１６が設けてあり、この載置部１６は、デッキ外周側に向けて突出した上向きの鉤状をなしている。これにより、大引側金具５と桁材側金具４がスライド自在に係合するとともに、載置部１６は、桁材側金具４の被載置部８を載せたときに桁材側金具４を大引側金具５の側に誘導することができる。
【００１６】
上記のように形成される桁材側金具４を大引側金具５に取り付けるときは、図２（ａ）〜（ｃ）に示すような施工手順で行われる。
第一の手順として、図２（ａ）のように、大引３の外周側部に大引側金具５を固定部材１１ａで固定する。
第二の手順として、図２（ｂ）のように、桁材側金具４の被載置部８を大引側金具５の載置部１６に載せ、桁材側金具４を大引側金具５のある側に押し込むことにより、桁材側金具４を大引側金具５に取り付ける。このときに、上側係合片１２と下側係合片１３が弾性変形し、その突出先端部にある抜け止め部７が上側被係合部１４と下側被係合部１５をそれぞれ乗り越え、さらに、上側係合片１２と下側係合片１３が弾性復帰し、それぞれの抜け止め部７が上側被係合部１４と下側被係合部１５にそれぞれ係合する。さらに、上側係合片１２と下側係合片１３の抜け止め部７が上側被係合部１４と下側被係合部１５の内周側に引っ掛かることで、桁材側金具４が大引側金具５の外周方向に抜けない状態となる。
第三の手順として、図２（ｃ）のように、大引側金具５に取り付けた桁材側金具４の外周部に前桁２を沿わせ、さらに、前桁２と桁材側金具４とを外周側から固定具１１で固定する。
第四の手順として、図２（ｃ）のように、デッキ材１を大引３に載置して固定することにより、デッキが完成する（図１（ａ）（ｂ）参照）。
【００１７】
上記のように本実施によるデッキを形成することにより、以下に示す作用、効果を奏する。上側係合片１２と上側被係合部１４、下側係合片１３と下側被係合部１５、被載置部８と載置部１６のすべてが、大引側金具５に対して桁材側金具４が前桁２の長手方向にスライド自在に係合することにより、前桁２が長手方向に熱伸びして桁材側金具４が追従して移動しても、桁材側金具４は、大引側金具５から前桁２の長手方向にスライドする。これにより、前桁２の長手方向の熱伸びが固定箇所によって妨げられないので、前桁２が大引３の外周方向に波打つようにでこぼこに変形せず、したがって、デッキの外観意匠性が保たれる。そして、前述のように前桁２が大引３のデッキ外周方向に変形しないことから、前桁２と桁材側金具４の固定具１１による固定が前桁２の変形により外れず、これにより、前桁２が外れない構造となる。また、桁材側金具４の被載置部８が大引側金具５の載置部１６に載ることにより、施工後の前桁２の荷重を安定して支えることができる。さらに、上側係合片１２と下側係合片１３のそれぞれの抜け止め部７が上側被係合部１４と下側被係合部１５のデッキ内周側部に引っ掛かることにより、桁材側金具４が大引側金具５に対して前桁２の長手方向にスライド自在な状態となりつつも、大引３の外周方向に抜けない構造となる。また、桁材側金具４と大引側金具５がそれぞれ対向する位置にあり、下向き鉤状の被載置部８を上向き鉤状の載置部１６に載せることで桁材側金具４の上側係合片１２と下側係合片１３それぞれと係合する上側被係合部１４と下側被係合部１５に対向するので、被載置部８を載置部１６に載せるだけで桁材側金具４と大引側金具５の位置合わせができるとともに、施工後、桁材側金具に外周方向の強い力がかかり、桁材側金具４の上側係合片１２と下側係合片１３と大引側金具５の上側被係合部１４と下側被係合部１５の係合が外れたとしても、被載置部８を載置部１６が引っかかり脱落を防止できる。尚、前桁２と桁材側金具４を固定する固定具１１は、デッキ材１の中空部や大引側金具５の中空部に突出しており、桁材側金具４と大引側金具５のスライドを妨げない位置に設けられているように形成してある。
【００１８】
本発明のデッキの第二実施形態は、図３（ａ）のように、デッキ材１と、デッキ材側金具９と、前桁２と、桁材側金具２４とから構成しており、デッキ材側金具９と桁材側金具２４はスライド自在に係合している。デッキ材側金具９は、図３（ｂ）のように、上片９ａと下片９ｂと縦片９ｃとからなる外周側が開放した略コ字型をなしている。さらに、上片９ａと下片９ｂのそれぞれの内周側には、上側被係合部１４と下側被係合部１５が設けてある。また、縦片９ｃの上下方向の中間部には、デッキ外周側に向けて突出する載置部２６が設けてある。桁材側金具２４は、上記第一実施形態の桁材側金具４と略同じ構造をなすものであるが、相違する構成として、上側係合片１２と下側係合片１３の間に、デッキ内周側に向けて突出した被載置部１８が設けてある。これにより、桁材側金具２４をデッキ材側金具９に取り付けたときに、前述の被載置部１８がデッキ材側金具９の載置部２６に載る構造となる。また、デッキ材側金具９の上片９ａの上部には、デッキ材１の鍔部１ｂに引っ掛けることのできる鉤状をなす取付部１９が設けてある。また、取付部１９を鍔部に引っ掛けるとともに、固定部材１１ａで固定することにより、デッキ材側金具９は、デッキ長手方向の外周側端部の下部に固定される。
【００１９】
上記のように形成される桁材側金具２４をデッキ材側金具９に取り付けるときは、図４（ａ）〜（ｃ）に示すような施工手順で行われる。
第一の手順として、図４（ａ）のように、デッキ材１の長手方向端部にデッキ材側金具９の取付部１９を取り付ける。
第二の手順として、図４（ｂ）のように、桁材側金具２４の被載置部１８をデッキ材側金具９の載置部２６に載せ、桁材側金具２４をデッキ内周側に向けて押し込むことにより、桁材側金具２４をデッキ材側金具９に取り付ける。このときに、上側係合片１２と下側係合片１３が弾性変形し、それぞれの抜け止め部７が上側被係合部１４と下側被係合部１５をそれぞれ乗り越える。さらに、上側係合片１２と下側係合片１３が弾性復帰し、それぞれの抜け止め部７が上側被係合部１４と下側被係合部１５にそれぞれ係合する。さらに、抜け止め部７が上側被係合部１４と下側被係合部１５のデッキ内周側部に引っ掛かることで、桁材側金具２４がデッキ材側金具９のデッキ外周方向に抜けない状態となる。
第三の手順として、図４（ｃ）のように、桁材２を桁材側金具２４の外周側に沿わせ、さらに、桁材２の外周側から固定具１１で固定することにより、デッキが完成する（図３（ａ）（ｂ）参照）。
【００２０】
上記のように本実施によるデッキを形成することにより、以下に示す作用、効果を奏する。上側係合片１２と上側被係合部１４、下側係合片１３と下側被係合部１５、被載置部１８と載置部２６のすべてが、デッキ材側金具９に対して桁材側金具２４が前桁２の長手方向にスライド自在に係合することにより、前桁２が長手方向に熱伸びして桁材側金具２４が追従して移動しても、桁材側金具２４は、デッキ材側金具５から前桁２の長手方向にスライドする。これにより、前桁２の長手方向への熱伸びが、前桁２とデッキ１との固定箇所で妨げられないので、前桁２がデッキ外周方向に波打つようにでこぼこに変形しない。したがって、デッキ材１が長手方向に熱伸びしてもデッキの外観意匠性が保たれることになる。そして、前述のように前桁２が大引３のデッキ外周方向にでこぼこに変形しないことから、前桁２と桁材側金具２４の固定具１１による固定が前桁２の変形により外れず、このことから、前桁２がデッキから外れない構造となる。また、桁材側金具４の被載置部１８がデッキ材側金具９の載置部２６に載ることにより、施工後の前桁２の荷重を安定して支えることができる。さらに、上側係合片１２と下側係合片１３のそれぞれの抜け止め部７が上側被係合部１４と下側被係合部１５のデッキ内周側部に引っ掛かることにより、桁材側金具２４がデッキ材側金具９に対して前桁２の長手方向にスライド自在な状態となりつつも、大引３のデッキ外周方向に抜けない構造となる。また、桁材側金具２４とデッキ材側金具９がそれぞれ対向する位置にあり、下向き鉤状の被載置部１８を上向き鉤状の載置部２６に載せることで桁材側金具４の抜け止め部７に係合する上側被係合部１４と下側被係合部１５に対向するので、被載置部１８を載置部２６に載せるだけで桁材側金具２４とデッキ材側金具９の位置合わせができるとともに、施工後、桁材側金具に外周方向の強い力がかかり、桁材側金具４の抜け止め部７と大引側金具５の上側被係合部１４と下側被係合部１５の係合が外れたとしても、被載置部１８を載置部２６が引っかかり脱落を防止できる。また、桁材側金具２４とデッキ材側金具９がそれぞれ対応する位置にあり、その位置で桁材側金具２４をデッキ材側金具９に押し込んで取り付けるものであることから、施工時、位置あわせ等の調整をすることなく前桁２を取り付けることができる。尚、前桁２と桁材側金具２４を固定する固定具１１は、デッキ材１の中空部や大引５の中空部に突出しており、桁材側金具２４とデッキ材側金具９のスライドを妨げないように形成してある。
【００２１】
本発明のデッキの第三実施形態として、図５（ａ）のように、デッキ材１と、大引側金具２５と、側桁２０と、桁材側金具３４とから構成しており、桁材側金具３４と大引側金具２５がスライド自在に係合している。大引側金具２５は、図５（ｂ）のように、上片２５ａと下片２５ｂと縦片２５ｃとからなり、デッキ外周側が開放した略コ字型をなしている。また、大引側金具２５は、大引３のデッキ外周側部に固定具１１で固定してある。また、大引側金具２５を構成する上片２５ａと下片２５ｂのそれぞれの内周側には、上側被係合部１４と下側被係合部１５が設けてある。また、大引側金具２５を構成する下片２５ｂのデッキ外周側端部には、上向きの鉤状をなす載置部３６が設けてある。さらに、上片２５ａのデッキ外周側端部にはデッキ保持部２１が設けてあり、デッキ保持部２１は、上片２５ａから略垂直に上方へ延びて先端部がデッキ内周側に屈曲した形状をなしている。また、デッキ保持部２１は、デッキ材１の鍔部１ｂに鉤状の部分を引っ掛けて大引上部２２との間に挟むことで、大引側金具２５の大引３に対する保持と、デッキ材１と大引上部２２との保持を両立させるものである。桁材側金具３４は、上記第一実施形態と略同じ構造をなすものであるが、相違する構成として、上側係合片１２のデッキ外周側部には、ストッパー片４４が設けてある。このストッパー片４４は、桁材側金具３４が押し込まれたときにデッキ内周方向にそれ以上の移動を規制するものである。また、桁材側金具３４の下側係合片１３のデッキ外周側部には、下向き鉤状をなす被載置部４５が設けてある。また、被載置部４５は、ストッパー片４４と略同一形状をなしており、桁材側金具３４のデッキ内周側へのそれ以上の移動を規制する機能も兼ね備えている。
【００２２】
上記のように形成される桁材側金具３４を大引側金具２５に取り付けるときは、図６（ａ）〜（ｃ）に示すような施工手順で行われる。第一の手順として、図６（ａ）のように、大引側金具２５のデッキ保持部２１をデッキ材１の鍔部１ｂに引っ掛け、さらに、大引側金具２５の上片２５ａを大引上部２２の長手方向端部の下端面に挿し入れる。これにより、大引側金具２５がデッキ材１と大引３を挟み込むかたちとなるので、デッキ材１を大引上部２２に固定するとともに、大引側金具２５を大引３に対して位置決めし、さらに、大引側金具２５の下方から固定具１１で大引３に固定する。第二の手順として、桁材側金具３４のストッパー片４４と被載置部４５を、大引側金具２５に対して長手方向の一端部から挿入し、桁材側金具３４が大引側金具２５と位置があうようにスライドする。第三の手順として、桁材側金具３４をデッキ内周側に押し込むことにより、桁材側金具４の下側のストッパー片４４が大引側金具２５の載置部３６に載る桁材側金具３４の被載置部４５に案内されてデッキ内周方向に摺動する。このときに、上側係合片１２と下側係合片１３が弾性変形し、その突出先端部に設けてある抜け止め部７が上側被係合部１４と下側被係合部１５をそれぞれ乗り越える。さらに、上側係合片１２と下側係合片１３が弾性復帰し、抜け止め部７が上側被係合部１４と下側被係合部１５のデッキ内周側部にそれぞれ係合する。このときに、上側係合片１２と下側係合片１３のそれぞれの抜け止め部７が上側被係合部１４と下側被係合部１５のデッキ内周側部に引っ掛かることで、桁材側金具４が大引側金具２５のデッキ外周方向に抜けない構造となる。第四の手順として、側桁２０のデッキ内周側に桁材側金具３４を固定具１１でデッキ外周側から固定する。
【００２３】
上記のように本実施によるデッキを形成することにより、以下に示す作用、効果を奏する。上側係合片１２と上側被係合部１４、下側係合片１３と下側被係合部１５、被載置部４５と載置部３６のすべてが、大引側金具２５に対して桁材側金具３４が側桁２０の長手方向にスライド自在に係合する。このことから、側桁２０が長手方向に熱伸びして桁材側金具３４が追従して移動しても、桁材側金具３４は、大引側金具２５から側桁２０の長手方向にスライドする。これにより、側桁２０の長手方向への熱伸びが側桁２０とデッキ１との固定箇所で妨げられないので、側桁２０がデッキ外周方向に波打つようにでこぼこに変形しない。したがって、デッキ材１が長手方向に熱伸びしてもデッキの外観意匠性が保たれる。また、前述のように、側桁２０がデッキ外周方向に変形しないことから、側桁２０と桁材側金具３４の固定具１１による固定が側桁２０の変形により外れず、このことから、側桁２０が外れない構造となる。また、桁材側金具３４の被載置部４５が大引側金具２５の載置部３６に載ることにより、側桁２０の荷重を安定して支えることができる。さらに、上側係合片１２と下側係合片１３のそれぞれの抜け止め部７が上側被係合部１４と下側被係合部１５のデッキ内周側部に引っ掛かることにより、桁材側金具３４がデッキ材側金具９に対して側桁２０の長手方向にスライド自在な状態となりつつも、大引３のデッキ外周方向に抜けない構造となる。尚、側桁２０と桁材側金具３４を固定する固定具１１は、デッキ材１の中空部や大引側金具２５の中空部に突出しており、桁材側金具３４と大引側金具２５のスライドを妨げないように形成してある。
【００２４】
本発明のデッキの第四実施形態として、図７（ａ）のように、デッキ材１と、桁材側金具４６と、前桁２と、大引側金具５０とから構成しており、上記の第一実施形態とは桁材側金具４６と大引側金具５０の構成のみが相違している。本実施による桁材側金具４６は、縦片４７と、縦片４７の内周側の上下に間隔をあけて上側係合片（抜け止め部）４８と下側係合片（抜け止め部兼被載置部）４９を有している。また、上側係合片４８と下側係合片４９は、デッキ内周側に向けて突出するとともに先端が下向きの鉤状をなしている。大引側金具５０は、上片５１と下片５２と被固定片５３と縦片５４とからなり、上片５１と下片５２と縦片５４でデッキ外周側が開放した略コ字型をなすとともに、被固定片５３は、上片５１と下片５２の間に設けてある。上片５１と下片５２の外周側には、上側被係合片５１ａと下側被係合片（載置部）５２ａを有しており、上側被係合片５１ａと下側被係合片５２ａは、デッキ外周側に向けて突出するとともに先端が上向きの鉤状をなしている。被固定片５３は、外周側が下向きに屈曲している。尚、符号５５は、浮き上がり防止片であり、大引側金具５０に当接して桁材側金具４６の浮き上がりを規制し、前桁２及び桁材側金具４６の大引側金具５０からの脱落を防ぐものである。
【００２５】
上記のように形成した桁材側金具４６と大引側金具５０を取り付けるときには、図７（ｂ）のように、大引側金具５０に対して桁材側金具４６をスライドして取り付ける。このときに、桁材側金具４６の下側係合片４９は、大引側金具５０の下側被係合片５２ａに載置された状態でスライドする。さらに、所定の位置までスライドしたときには、上側被係合片５１ａと上側係合片４８、下側被係合片５２ａと下側係合片４９が係合するので、桁材側金具４６が大引側金具５０から外周側に抜けない抜け止め構造となる。また、大引側金具５０の被固定片５３は、外周側の下向きに屈曲した箇所が桁材側金具４６の内周側部に当接する。その当接箇所に桁材側金具４６の外周側から固定部材１１ａで固定する。さらに、桁材側金具４６の外周側に前桁２を固定具１１で固定する。尚、大引側金具５０の長手方向中央に係合する桁材側金具４６のみを桁材側金具４６の外周側から固定部材１１ａで固定してある。これにより、前桁２の熱伸びが妨げられなくなるので、前桁２がデッキ外周側に波打つようにでこぼこに変形しない。
【００２６】
本発明のデッキの第五実施形態は、図８（ａ）のように、デッキ材１と、デッキ材側金具６２と、前桁２と、桁材側金具６４とから構成している。上記の第二実施形態とはデッキ材側金具６２と桁材側金具６４の構成のみが相違している。デッキ材側金具６２は、上片６２ａと下片６２ｂと被固定片６２ｃと縦片６２ｄとからなる外周側が開放した略コ字型をなすとともに、被固定片６２ｃは、上片６２ａと下片６２ｂの間に設けてある。上片６２ａの内周側には、下向きに突出した上側被係合片６３ａが設けてあり、下片６２ｂの内周側には、上向きに突出した下側被係合片６３ｂが設けてあるとともに、下側被係合片６３ｂの外周側には、桁材側金具６４を載せる載置部７０を有している。桁材側金具６４は、縦片６５と、上側係合片（抜け止め部）６６と、下側係合片（抜け止め部）６７とから構成している。縦片６５は、上下方向の中間部６５ａがデッキ内周側に突出するように屈曲しており、中間部６５ａがデッキ材側金具６２の上片６２ａと下片６２ｂと縦片６２ｄで囲まれる内周側に入り込むとともに、中間部６５ａの下端部には桁材側金具６４の載置部７０に載る被載置部７１を有している。上側係合片６６は、縦片６５の中間部６５ａの内周側部に設けてあり、縦片６５の内周側部からデッキ内周側に突出するとともに、先端が上向きの鉤状をなしている。また、下側係合片６７は、縦片６５の中間部６５ａから下向きに突出している。このように形成した桁材側金具６４の下側係合片６７は、デッキ材側金具６２の下側被係合片６３ｂに係合してデッキ外周側に抜け出し不能になるとともに、デッキ内周側に突出する桁材側金具６４の縦片６５の中間部６５ａがデッキ材側金具６２の下片６２ｂの内周側に載置される。さらに、桁材側金具６４の上側係合片６６とデッキ材側金具６２の上側被係合片６３ａが係合してデッキ外周側に抜け出し不能になる。
【００２７】
上記のように形成したデッキ材側金具６２と桁材側金具６４を取り付けるときは、図８（ｂ）のように、デッキ材側金具６２に対して桁材側金具６４をスライドして取り付ける。このときに、桁材側金具６４の被載置部７１は、デッキ材側金具６２の載置部７０に載置された状態でスライドする。上側被係合片６３ａと上側係合片６６、下側被係合片６３ｂと下側係合片６７が係合するので、桁材側金具６４がデッキ材側金具６２から外周側に抜けない抜け止め構造となる。さらに、桁材側金具６４の縦片６５中間部６５ａ内周側部がデッキ材側金具６２の被固定片６２ｃに当接し、その当接箇所に縦片６５中間部６５ａの外周側から固定部材１１ａで固定することにより、桁材側金具６４をデッキ材側金具６２に固定できる。尚、桁材側金具６４とデッキ材側金具６２の固定は、デッキ材側金具６２の長手方向中央に係合する桁材側金具６４のみを桁材側金具６４の外周側から固定部材１１ａで固定してある。これにより、他の桁材側金具６４がデッキ材側金具６２にスライド自在となるため、前桁２の熱伸びに対応できるので、前桁２がデッキ外周側に波打つようにでこぼこに変形しない。
【００２８】
本発明のデッキは、桁材側金具４，２４，３４，４６，６４と大引側金具５，２５，５０またはデッキ材側金具９，６２が前桁２または側桁２０の長手方向にスライド自在に係合する。また、桁材側金具４，２４，３４，４６，６４を大引側金具５，２５，５０またはデッキ材側金具９，６２に取り付けたときに、桁材側金具４，２４，３４，４６，６４が大引側金具５，２５，５０またはデッキ材側金具９，６２のデッキ外周方向に外れず、さらに、桁材側金具４，２４，３４，４６，６４が大引側金具５，２５，５０またはデッキ材側金具９，６２に載せる状態となるものであればよい。このことから、桁材側金具４，２４，３４，４６，６４の上側係合片１２や下側係合片１３の形状や数、さらに、前述の桁材側金具４，２４，３４，４６，６４に対応する大引側金具５，２５，５０及びデッキ材側金具９，６２の上側被係合部１４及び下側被係合部１５については、その形状や数を限定しない。上記の第一〜第五実施形態では、大引側金具５，２５，５０を大引３に取り付けてから、または、デッキ材側金具９，６２をデッキ材１に取り付けてから、桁材側金具４，２４，３４，４６，６４を取り付けているが、あらかじめ大引側金具５，２５，５０またはデッキ材側金具９，６２に桁材側金具を取り付けた後に大引３またはデッキ材１に固定してもよい。さらに、載置部１６，２６，３６，５２ａ，７０と被載置部８，１８，４５，４９，７１は、桁材側金具４，２４，３４，４６，６４を大引側金具５，２５，５０またはデッキ材金具９，６２にスライド自在に載せることができる形状や大きさであればよい。
【符号の説明】
【００２９】
１  デッキ材
１ａ  側面
２  前桁
３  大引
４，２４，３４，４６，６４  桁材側金具
５，２５，５０  大引側金具
７  抜け止め部
８，１８，４５，７１  被載置部
９，６２  デッキ材側金具
１６，２６，３６，７０  載置部
２０  側桁
４８，６３ａ，６６  上側係合片（抜け止め部）
４９  下側係合片（抜け止め部兼被載置部）
５１ａ  上側被係合片
５２ａ  下側被係合片（載置部）
６７  下側係合片（抜け止め部）
【図１（ａ）（ｂ）】
2015048625.tif 000003
【図２（ａ）（ｂ）（ｃ）】
2015048625.tif 000004
【図３（ａ）（ｂ）】
2015048625.tif 000005
【図４（ａ）（ｂ）（ｃ）】
2015048625.tif 000006
【図５（ａ）（ｂ）】
2015048625.tif 000007
【図６（ａ）（ｂ）（ｃ）】
2015048625.tif 000008
【図７（ａ）（ｂ）】
2015048625.tif 000009
【図８（ａ）（ｂ）】
2015048625.tif 000010
【図９（ａ）（ｂ）】
2015048625.tif 000011
【図１０】
2015048625.tif 000012